(57)【要約】      （修正有）【課題】不要時には、個人情報を秘匿でき、必要な場合に容易に個人情報を開示できるゴルフ用品の識別用タグを提供する。【解決手段】ゴルフ用品の識別用タグ２は、表面に、個人情報を表示する表示部が設けられた本体６と、表示部を被覆するカバー４とを備えている。カバーは、本体の表面に沿ってスライド可能に装着されている。カバーがスライドすることにより、表示部が露出して個人情報が開示される。好ましい実施形態では、本体がカバーに収容されており、カバーが弾性変形可能であって、カバーが屈曲又は湾曲して、表示部が露出する。好ましい他の実施形態では、カバーと本体とが回転可能に連結されており、カバーが回転移動することにより、表示部が露出する。【選択図】図１
0003221406.tif 000002
【実用新案登録請求の範囲】
【請求項１】
その表面に、個人情報を表示する表示部が設けられた本体と、上記表示部を被覆するカバーと、を備えており、
上記カバーが、上記本体の表面に沿ってスライド可能に装着されており、
上記カバーがスライドすることにより、上記表示部が露出して個人情報が開示される、ゴルフ用品の識別用タグ。
【請求項２】
上記スライドしたカバーが、上記露出した表示部を、自動的に被覆する、請求項１に記載の識別用タグ。
【請求項３】
上記本体が平板状であって、その一端に取付け部が形成されており、
上記カバーが、上記本体を挟んで配置された一対のカバー部と、この一対のカバー部を接合する第一側壁、第二側壁、第三側壁及び第四側壁と、を有する扁平な直方体状に形成されており、
上記第一側壁には、上記本体を出し入れ可能な第一開口部が形成されており、この第一側壁と対向する第二側壁には、上記取付け部を通過可能な第二開口部が形成されており、
上記第三側壁及びこの第三側壁に対向する第四側壁の略中央部には、それぞれ、スリットが設けられており、
上記本体の取付け部を除く部分が上記カバーに収容されて、上記一対のカバー部が、上記本体の表面を被覆しており、
上記カバーが弾性変形可能であって、このカバーを上方にスライドさせることにより、このカバーが屈曲又は湾曲して、上記表示部が露出する、請求項１又は２に記載の識別用タグ。
【請求項４】
上記本体及び上記カバーが、それぞれ平板状に形成されており、
上記本体の一端に、取付け部が形成されており、
上記カバーが、上記表示部を被覆し、かつ、上記取付け部を露出した状態で、上記本体に積層されており、
上記カバーと本体とが積層した状態で、両者を貫通する貫通孔が設けられており、
上記貫通孔に挿入して、上記カバーと本体とを回転可能に連結する結合部材をさらに備えており、
上記カバーを、上記結合部材を中心軸とする回転方向にスライドさせることにより、上記表示部が露出する、請求項１又は２に記載の識別用タグ。
【考案の詳細な説明】
【技術分野】
【０００１】
本考案は、識別用タグに関する。詳細には、本考案は、ゴルフ用品の識別用タグに関する。
【背景技術】
【０００２】
ゴルフでは、複数のプレーヤーが、種々のゴルフ用品を使用する。ゴルフ場等で、ゴルフ用品の取り違えを防ぐために、各ゴルフ用品にその所有者の名前等の識別情報を表示する必要がある。この識別情報を表示する手段としてネームプレートがある。
【０００３】
通常、ネームプレートは、その表面に名前等が記載された一枚の板状であって、例えば、キャディバッグ等のゴルフ用品に装着される。
【考案の概要】
【考案が解決しようとする課題】
【０００４】
従来のネームプレートによれば、名前等の個人情報が常時露出した状態で装着されるため、不特定の第三者もその個人情報を容易に知ることができる。近年、セキュリティやプライバシー保護の観点から、個人情報の不要な開示を回避したいという要望が高まっている。
【０００５】
本考案の目的は、不要時には個人情報を秘匿でき、必要な場合には容易に個人情報を開示できる、ゴルフ用品の識別用タグの提供である。
【課題を解決するための手段】
【０００６】
本考案に係る識別用タグは、本体と、カバーとを備えている。本体には、その表面に、個人情報を表示する表示部が設けられている。カバーは、本体の表示部を被覆している。このカバーは、本体の表面に沿ってスライド可能に装着されている。このカバーがスライドすることにより、この表示部が露出して、個人情報が開示される。
【０００７】
好ましくは、この識別用タグは、スライドしたカバーが、露出した表示部を、自動的に被覆するように構成されている。
【０００８】
好ましい一実施形態として、本体は、平板上である。本体の一端には取付け部が形成されている。カバーは、扁平な直方体状に形成されている。このカバーは、本体を挟んで配置された一対のカバー部と、この一対のカバー部を接合する第一側壁、第二側壁、第三側壁及び第四側壁と、を有している。この第一側壁には、本体を出し入れ可能な第一開口部が形成されている。この第一側壁と対向する第二側壁には、取付け部が通過可能な第二開口部が形成されている。第三側壁及びこの第三側壁に対向する第四側壁の略中央部には、それぞれ、スリットが設けられている。この識別用タグでは、本体の取付け部を除く部分が、カバーに収容されている。本体の表面は、一対のカバー部に被覆されている。このカバーは、弾性変形可能である。このカバーを上方にスライドさせることにより、このカバーが屈曲又は湾曲して、表示部が露出する。
【０００９】
好ましい他の実施形態として、本体及びカバーは、それぞれ平板状に形成されている。本体の一端には取付け部が形成されている。このカバーは、表示部を被覆し、かつ、取付け部を露出した状態で、本体に積層されている。この識別用タグでは、カバーと本体とが積層した状態で、両者を貫通する貫通孔が設けられている。この識別用タグは、貫通孔に挿入して、このカバーと本体とを回転可能に連結する結合部材をさらに備えている。このカバーを、結合部材を中心軸とする回転方向にスライドさせることにより、表示部が露出する。
【考案の効果】
【００１０】
本考案に係る識別用タグでは、個人情報が表示された表示部が、カバーで被覆された状態で、キャディバッグ等に装着される。この識別用タグでは、不要時には個人情報が秘匿されており、必要時に、カバーがスライドすることにより、個人情報が開示される。この識別用タグによれば、個人情報が常時第三者の目に触れることを防止することができる。
【図面の簡単な説明】
【００１１】
【図１】図１は、本考案の一実施形態に係る識別用タグ示された斜視図である。
【図２】図２は、図１の識別用タグのカバーが示された平面図である。
【図３】図３は、図２のカバーが示された側面図である。
【図４】図４は、図２のカバーのIV−IV線に沿った断面図である。
【図５】図５（ａ）は、図２のカバーのＶａ−Ｖａ線に沿った断面図であり、図５（ｂ）は、このカバーのＶｂ−Ｖｂ線に沿った断面図であり、図５（ｃ）は、このカバーのＶｃ−Ｖｃ線に沿った断面図である。
【図６】図６は、図１の識別用タグの本体が示された平面図である。
【図７】図７は、図６の本体が示された側面図である。
【図８】図８は、図６の本体のVIII−VIII線に沿った断面図である。
【図９】図９は、図１の識別用タグの使用状態が示された平面図である。
【図１０】図１０は、図１の識別用タグの使用状態が示された側面図である。
【図１１】図１１は、本考案の他の実施形態に係る識別用タグが示された平面図である。
【図１２】図１２は、図１１の識別用タグが示された側面図である。
【図１３】図１３は、図１１の識別用タグの使用状態が示された平面図である。
【考案を実施するための形態】
【００１２】
以下、適宜図面が参照されつつ、好ましい実施形態に基づいて本考案が詳細に説明される。この実施形態に基づいて本考案が限定的に解釈されるべきではない。
【００１３】
図１は、本考案の好ましい一実施形態に係る識別用タグ２が示された斜視図である。この識別用タグ２は、本体６と、カバー４と、を備えている。
【００１４】
図２は、識別用タグ２のカバー４の平面図である。図３は、このカバ−４の右側面図である。カバー４の左側面図は、右側面図と同一であるため省略されている。カバー４のIV−IV線に沿った断面図が図４に示されている。カバー４のＶa−Ｖa線に沿った断面図、Ｖb−Ｖｂ線に沿った断面図及びＶｃ−Ｖｃ線に沿った断面図が、それぞれ、図５（ａ）−５（ｃ）に示されている。
【００１５】
図２−５に示される通り、このカバー４の形状は、扁平な直方体である。このカバー４は、相互に対向する一対のカバー部８、第一側壁１０、この第一側壁１０に対向する第二側壁１２、第三側壁１４及びこの第三側壁１４に対向する第四側壁１６から構成されている。一対のカバー部８は、第一側壁１０、第二側壁１２、第三側壁１４及び第四側壁１６により接合されている。このカバー４は中空である。
【００１６】
第一側壁１０は、第一開口部１８を有している。第一開口部１８は、本体６を出し入れ可能な大きさに形成されている。第二側壁１２は、第二開口部２０を有している。第二開口部２０は、後述する取付け部２６が通過可能な大きさに形成されている。第三側壁１４及び第四側壁１６の略中央部には、それぞれ、スリット２２が設けられている。
【００１７】
図６は、識別用タグ２の本体６の平面図であり、図７は、この本体６の右側面図である。本体６の左側面図は、右側面図と同一であるため省略されている。図８は、本体６のVIII−VIII線に沿った断面図である。
【００１８】
図６に示される通り、この本体６は、平板状である。本体６の表面には、個人情報を表示するための表示部２４が設けられている。本体６の一端には、取付け部２６が形成されている。この実施形態では、本体６は、保持部２８を有している。
【００１９】
この本体６を、カバー４の第一開口部１８から挿入し、第二開口部２０から取付け部２６を突出させ、カバー４を、本体６の表面に沿って、スライド可能に装着することにより、図１の識別用タグ２が得られる。図１に示される通り、この識別用タグ２では、通常、本体６の取付け部２６を除く部分が、カバー４に収容されている。
【００２０】
図示される通り、この取付け部２６は、貫通孔を有している。取付け部２６の貫通孔には、ベルト、フック、クリップ、カラビナ等の装着部材が取り付けられ得る。
【００２１】
使用時には、前述の装着部材を介して、識別用タグ２がゴルフ用品に装着され、取付け部２６が上向きの状態でつり下げられる。この状態では、通常、本体４の表面は、本体４を挟んで配置された一対のカバー部８により被覆されている。これにより、表示部２４に表示された個人情報が秘匿されている。
【００２２】
必要により、個人情報を開示する際には、カバー４を本体６の表面に沿ってスライドさせることにより、表示部２４を露出させる。この実施形態において、カバー４は、弾性変形可能である。そのため、カバー４をスライドさせるに従って、カバー４は屈曲又は湾曲する。この屈曲又は湾曲により、表示部２４が露出して、個人情報が開示される。この状態が、図９の平面図及び図１０の側面図に示されている。
【００２３】
この識別用タグ２によれば、不要時に、表示部２４に表示された個人情報が常時露出している状態を回避することができるため、セキュリティ上の不安が低減される。また必要な場合には、簡単な操作で個人情報を開示することができるため、識別用タグ２としての本来の機能を十分に果たすことができる。
【００２４】
さらに、この識別用タグ２では、スライドして屈曲又は湾曲させられたカバー４が、自動的に、かつ、速やかに、図１に示された状態に戻り、露出した表示部２４を被覆する。この識別用タグ２では、必要により表示部２４を露出した後、カバー４の戻し忘れ等により個人情報が開示され続けることを回避することができる。
【００２５】
弾性変形可能なカバー４は、その材質に、弾性に優れた樹脂組成物を採用することにより得られうる。さらに、この識別用タグ２では、第三側壁１４及び第四側壁１６に設けられたスリット２２により、カバー４の屈曲又は湾曲が容易になる。
【００２６】
カバー４を弾性変形可能に形成できる限り、その材質は特に限定されない。カバー４の好ましい材質として、例えば、熱可塑性エラストマー及び熱硬化性エラストマーが挙げられる。熱可塑性エラストマーとして、熱可塑性ポリエステルエラストマー、スチレンブロック含有熱可塑性樹脂エラストマー、熱可塑性ポリオレフィンエラストマー、熱可塑性アクリルエラストマー及び熱可塑性塩化ビニルエラストマーが例示される。熱硬化性エラストマーの具体例として、シリコーン樹脂、フッ素樹脂及び加硫ゴムが例示される。ポリ塩化ビニル、ポリエチレン等の軟質樹脂が使用されてもよい。シリコーン樹脂及び軟質樹脂が好ましい。必要に応じて、複数の樹脂組成物が併用され得る。
【００２７】
カバー４の成形には、射出成形法、圧縮成形法、注型成形法等の既知の方法が採用され得る。カバー４が一体成形により得られてもよく、別個に成形された一対のカバー部８、第一側壁１０、第二側壁１２、第三側壁１４及び第四側壁１６を組み合わせることにより得られてもよい。
【００２８】
本体６の材質は特に限定されない。この実施形態において、個人情報を開示する際に、カバー４を屈曲又は湾曲させながら、本体６の表面に沿ってスライドさせやすい、との観点から、本体６が、例えば、金属、硬質樹脂等で形成されることが好ましい。
【００２９】
この識別用タグ２では、不要時、本体６の両面がカバー４に被覆される。そのため、本体４の両面に表示部２４を設けることも可能である。
【００３０】
この識別用タグ２では、取付け部２６に、装着部材以外の他の部材を取り付けることも可能である。例えば、マーカーホルダー、パターカバーホルダー、リール付きカラビナ、キーホルダー等を取り付けて携行することができる。
【００３１】
この識別用タグ２において、保持部２８は、本体６の一部に形成された貫通孔である。この保持部２８は、例えば、タオル、グローブ等を貫通孔に通して、つり下げた状態で携行するために設けられている。本考案において、本体６に保持部２８が形成されなくてもよい。
【００３２】
図１１は、本考案の他の実施形態に係る識別用タグ３２が示された平面図である。この識別用タグ３２のXII−XII線に沿った断面図が、図１２に示されている。
【００３３】
図１１及び１２に示される通り、この識別用タグ３２は、本体３６と、カバー３４と、結合部材４２と、を備えている。カバー３４及び本体３６の形状は、いずれも平板状である。カバー３４は、本体３６に積層されている。
【００３４】
この識別用タグ３２では、本体３６とカバー３４とが積層した状態で、両者を貫通する貫通孔４０が設けられている。この貫通孔４０には、ピン、ボルト等の結合部材４２が挿入されている。この結合部材４２により、本体３６とカバー３４とが回転可能に連結される。
【００３５】
本体３６の一端には、取付け部３８が形成されている。取付け部３８は、積層するカバー３４には被覆されず、露出している。取付け部３８には、前述した装着部材が取り付けられうる。この装着部材を介して、取付け部３８が上向きになるように、識別用タグ３２がゴルフ用品に装着される。
【００３６】
図示されないが、本体３６の表面には、表示部４４が設けられている。識別用タグ３２がゴルフ用品に装着されるとき、この表示部４４は、カバー３４に被覆されている。これにより、表示部４４に表示された個人情報が秘匿される。
【００３７】
図１３には、識別用タグ３２のカバー３４をスライドさせて、表示部４４を露出させた状態が示されている。図示される通り、このカバー３４は、本体３６の表面に沿って、結合部材４２を中心軸とする回転方向にスライドする。これにより、本体３６の表示部４４が露出して個人情報が開示される。
【００３８】
さらに、この識別用タグ３２では、結合部材４２を中心軸とする回転方向にスライドさせられたカバー３４が、自動的に、かつ、速やかに、図１１に示された状態に戻り、露出した表示部４４を被覆する。これにより、開示された個人情報が、再度秘匿される。
【００３９】
この実施形態において、本体及びカバーの材質は特に限定されない。耐久性、加工性等の観点から、金属、硬質樹脂等が好適に用いられうる。
【００４０】
本考案のさらに他の実施形態として、識別用タグが、その両面に表示部４４が設けられた本体３６と、本体３６に回転可能に連結され、それぞれ、両面の表示部４４を被覆する２枚のカバー３４と、を備えてもよい。
【産業上の利用可能性】
【００４１】
本考案に係る識別用タグは、ゴルフ用品以外の種々の用途に適用されうる。また、装飾品や販促品としても用いられ得る。
【符号の説明】
【００４２】
２、３２・・・識別用タグ
４、３４・・・カバー
６、３６・・・本体
８・・・カバー部
１０・・・第一側壁
１２・・・第二側壁
１４・・・第三側壁
１６・・・第四側壁
１８・・・第一開口部
２０・・・第二開口部
２２・・・スリット
２４、４４・・・表示部
２６、３８・・・取付け部
２８・・・保持部
４０・・・貫通孔
４２・・・結合部材
【図１】
0003221406.tif 000003
【図２】
0003221406.tif 000004
【図３】
0003221406.tif 000005
【図４】
0003221406.tif 000006
【図５】
0003221406.tif 000007
【図６】
0003221406.tif 000008
【図７】
0003221406.tif 000009
【図８】
0003221406.tif 000010
【図９】
0003221406.tif 000011
【図１０】
0003221406.tif 000012
【図１１】
0003221406.tif 000013
【図１２】
0003221406.tif 000014
【図１３】
0003221406.tif 000015